(57)【要約】【課題】ソフトウエア無線機のソフトウエアを入れ替えが特定の場所でしか行うことができないという問題を解決するソフトウエア無線機を提供する。【解決手段】送受信部１２は、データを送受信する機能を有し、その機能のうちの少なくとも一部の機能を、記録部１１に記録されたソフトウエアを用いて実現する。送受信ポート１３は、管理サーバから、記録部１１に記録されたソフトウエアの入替用のソフトウエアを受信する。入替部１４は、送受信ポート１３が受信した入替用のソフトウエアに、記録部１１に記録されているソフトウエアを入れ替える。自己診断部１５は、入替部１４がソフトウエアを入れ替えると、送受信部１２の送受信特性を測定し、その測定した送受信特性が予め定められた制約を満たすか否かを診断する。【選択図】図１
2010114643.tif 000002
【特許請求の範囲】
【請求項１】
管理サーバと接続可能なソフトウエア無線機であって、
データを送受信するためのソフトウエアを記録する記録手段と、
データを送受信する機能を有し、該機能のうちの少なくとも一部の機能を、前記記録手段に記録されているソフトウエアを用いて実現する送受信手段と、
前記管理サーバから、前記記録手段に記録されているソフトウエアの入替用のソフトウエアを受信する通信手段と、
前記通信手段が受信した入替用のソフトウエアに、前記記録手段に記録されているソフトウエアを入れ替える入替手段と、
前記入替手段が前記ソフトウエアを入れ替えると、前記送受信手段の送受信特性を測定し、該測定した送受信特性が予め定められた制約を満たすか否かを診断する診断手段と、を含むソフトウエア無線機。
【請求項２】
請求項１に記載のソフトウエア無線機において、
前記通信手段は、前記診断手段の診断結果を前記管理サーバに送信する、ソフトウエア無線機。
【請求項３】
ソフトウエア無線機と、前記ソフトウエア無線機と接続可能な管理サーバと、を含むソフトウエア無線機管理システムであって、
前記管理サーバは、
前記ソフトウエア無線機のアドレスと、前記ソフトウエア無線機がデータを送受信するための送受信ソフトウエアの入替用のソフトウエアとを記憶する記憶手段と、
前記記憶手段内の入替用のソフトウエアを、前記記憶手段内のアドレスのソフトウエア無線機に送信する伝送手段と、を含み、
前記ソフトウエア無線機は、
前記ソフトウエアを記録する記録手段と、
データを送受信する機能を有し、該機能のうちの少なくとも一部の機能を、前記記録手段に記録されているソフトウエアを用いて実現する送受信手段と、
前記管理サーバから、前記入替用のソフトウエアを受信する通信手段と、
前記通信手段が受信した入替用のソフトウエアに、前記記録手段に記録されているソフトウエアを入れ替える入替手段と、
前記入替手段が前記ソフトウエアを入れ替えると、前記送受信手段の送受信特性を測定し、該測定した送受信特性が予め定められた制約を満たすか否かを診断する診断手段と、を含む、ソフトウエア無線機管理システム。
【請求項４】
請求項３に記載のソフトウエア無線機管理システムにおいて、
前記通信手段は、前記診断手段の診断結果を前記管理サーバに送信し、
前記伝送手段は、前記ソフトウエア無線機から前記診断結果を受信し、
前記管理サーバは、前記伝送手段が受信した診断結果を確認する制御手段を含む、ソフトウエア無線機管理システム。
【請求項５】
請求項３または４に記載のソフトウエア無線機管理システムにおいて、
前記ソフトウエア無線機は、複数あり、
前記記憶手段は、前記ソフトウエア無線機のそれぞれのアドレスと、該ソフトウエア無線機に送信する入替用のソフトウエアとを対応付けて記憶し、
前記伝送手段は、前記記憶手段内のアドレスのソフトウエア無線機のそれぞれに、該アドレスに対応する入替用のソフトウエアを送信する、ソフトウエア無線機管理システム。
【請求項６】
データを送受信するためのソフトウエアを記録する記録手段を含むソフトウエア無線機の診断方法であって、
データを送受信する機能のうちの少なくとも一部の機能を、前記記録手段に記録されているソフトウエアを用いて実現し、
管理サーバから、前記記録手段に記録されているソフトウエアの入替用のソフトウエアを受信し、
前記受信された入替用のソフトウエアに、前記記録手段に記録されているソフトウエアを入れ替え、
前記送受信手段の送受信特性を測定し、該測定した送受信特性が予め定められた制約を満たすか否かを診断する、ソフトウエア無線機の診断方法。
【請求項７】
請求項６に記載のソフトウエア無線機の診断方法において、
前記送受信特性が前記制約を満たすか否かの診断結果を前記管理サーバに送信する、ソフトウエア無線機の診断方法。
【請求項８】
データを送受信するためのソフトウエアを記録する記録手段を含むソフトウエア無線機と、前記ソフトウエア無線機のアドレスと前記記録手段が記録しているソフトウエアの入替用のソフトウエアとを対応付けて記憶する記憶手段を含む管理サーバと、を含むソフトウエア無線機管理システムによるソフトウエア無線機の診断方法であって、
前記ソフトウエア無線機が、データを送受信する機能を有し該機能のうちの少なくとも一部の機能を前記記録手段に記録されているソフトウエアを用いて実現し、
前記管理サーバが、前記記憶手段内の入替用のソフトウエアを、前記記憶手段内のアドレスのソフトウエア無線機に送信し、
前記ソフトウエア無線機が、前記管理サーバから、前記入替用のソフトウエアを受信し、
前記ソフトウエア無線機が、前記受信された入替用のソフトウエアに、前記記録手段に記録されているソフトウエアを入れ替え、
前記ソフトウエア無線機が、前記送受信手段の送受信特性を測定し、該測定した送受信特性が予め定められた制約を満たすか否かを診断する、ソフトウエア無線機の診断方法。
【請求項９】
請求項８に記載のソフトウエア無線機の診断方法において、
前記ソフトウエア無線機が、前記送受信特性が前記制約を満たすか否かの診断結果を前記管理サーバに送信し、
前記管理サーバが、前記ソフトウエア無線機から前記診断結果を受信し、
前記管理サーバが、前記受信された診断結果を確認する、ソフトウエア無線機の診断方法。
【請求項１０】
請求項８または９に記載のソフトウエア無線機の診断方法において、
前記ソフトウエア無線機は、複数あり、
前記記憶手段は、前記ソフトウエア無線機のそれぞれのアドレスと、該ソフトウエア無線機に送信する入替用のソフトウエアとを対応付けて記憶し、
前記管理サーバが、前記記憶手段内のアドレスのソフトウエア無線機のそれぞれに、該アドレスに対応する入替用のソフトウエアを送信する、ソフトウエア無線機の診断方法。
【請求項１１】
データを送受信するためのソフトウエアを記録する記録手段と接続されたコンピュータに、
データを送受信する機能のうちの少なくとも一部の機能を、前記記録手段に記録されているソフトウエアを用いて実現する手順と、
管理サーバから、前記記録手段に記録されているソフトウエアの入替用のソフトウエアを受信する手順と、
前記受信された入替用のソフトウエアに、前記記録手段に記録されているソフトウエアを入れ替える手順と、
前記送受信手段の送受信特性を測定し、該測定した送受信特性が予め定められた制約を満たすか否かを診断する手順と、を実行させるプログラム。
【請求項１２】
請求項１１に記載のプログラムにおいて、
前記送受信特性が前記制約を満たすか否かの診断結果を前記管理サーバに送信する手順を前記コンピュータに実行させるプログラム。
【発明の詳細な説明】
【技術分野】
【０００１】
本発明は、ソフトウエアを入れ替えることで送受信特性が変化するソフトウエア無線機、ソフトウエア無線機管理システム、ソフトウエア無線機の診断方法およびプログラムに関する。
【背景技術】
【０００２】
近年、無線でデータの送受信を行う無線機能の少なくとも一部をソフトウエアにて実現するソフトウエア無線機が提案または実用化されている。このようなソフトウエア無線機では、その無線機能を実現するソフトウエアを入れ替えることで送受信特性を変更することができるので、送受信特性を容易に変更することができる。
【０００３】
しかしながら、ソフトウエアが入れ替えられた後の送受信特性が、設計規格などの予め定められた制約を満たすとは限らなかった。このため、ソフトウエアが入れ替えられた際には、ソフトウエアが入れ替えられた後の送受信特性が予め定められた制約を満たすか否かが確認されなければならない。
【０００４】
ソフトウエアが入れ替えられた後の送受信特性を確認するためには、先ず、記録媒体に記録されているソフトウエアがソフトウエア無線機にインストールされる。そして、送受信特性を確認するための外部測定器が、そのソフトウエア無線機の送受信特性を測定する必要があった。
【０００５】
このため、ソフトウエアを入れ替えた後の送受信特性は、ソフトウェア無線機と、そのソフトウェア無線機にインストールするソフトウエアを記録した記録媒体と、外部測定器とを有する製造工場などの特定の場所でしか測定することができなかった。
【０００６】
また、ソフトウエア無線機ごとに、ソフトウエアを入れ替えた後の送受信特性を確認する必要があるので、非常に手間がかかっていた。
【０００７】
特許文献１には、この手間を軽減することが可能な認定試験システムが記載されている。
【０００８】
この認定試験システムでは、複数のソフトウエア無線機を代表するテスト用のソフトウエア無線機が用意される。また、このテスト用のソフトウエア無線機に被試験ソフトウエアがインストールされる。そして、外部測定装置に対応するテストベンチが、ソフトウエア無線機の仕様が法令で定められた規定内であるか否かを確認する認定試験を行い、その認定試験に対する合否を判断する。
【０００９】
また、テスト用のソフトウエア無線機が認定試験に合格すれば、そのテスト用のソフトウエア無線機が代表する複数のソフトウエア無線機のそれぞれの認定試験の合格が保証されるように、テスト用のソフトウエア無線機が設計される。
【００１０】
このため、テスト用のソフトウエア無線機にだけ認定試験を行えば、全てソフトウエア無線機に認定試験を行わなくてもよくなる。したがって、特許文献１に記載のシステムにおいて、ソフトウエア無線機の認定試験を、送受信特性が制約を満たすか否かの確認に変更すれば、ソフトウエア無線機ごとに送受信特性を確認する手間を軽減することが可能になる。
【特許文献１】特開２００１−１８９７００号公報
【発明の開示】
【発明が解決しようとする課題】
【００１１】
ソフトウエア無線機のソフトウエアの入れ替えが正常に行われる保証はない。ソフトウエアの入れ替えが正常に行われないと、そのソフトウエア無線機の送受信特性が予め定められた制約を満たさなくなる。
【００１２】
特許文献１に記載のシステムにおいて、ソフトウエア無線機の認定試験を、送受信特性が制約を満たすか否かの確認に変更しても、入れ替えが正常に行われた場合に、そのソフトウエア無線機の送受信特性が制約を満たすことが保証されるだけである。
【００１３】
このため、ソフトウエアの入れ替えが正常に行われたか否かを確認するためには、全てのソフトウエア無線機に対して送受信特性が制約を満たすか否かを確認しなければならない。
【００１４】
しかしながら、送受信特性を確認するためには、上述のように、記録媒体と外部測定器を有する製造工場などの特定の場所でしか測定することができない。したがって、ソフトウエアの入れ替えは特定の場所でしか行うことができないという問題があった。
【００１５】
本発明の目的は、上記の課題である、ソフトウエア無線機のソフトウエアを入れ替えが特定の場所でしか行うことができないという問題を解決するソフトウエア無線機、ソフトウエア無線機管理システム、ソフトウエア無線機の診断方法およびプログラムを提供することである。
【課題を解決するための手段】
【００１６】
本発明によるソフトウエア無線機は、管理サーバと接続可能なソフトウエア無線機であって、データを送受信するためのソフトウエアを記録する記録手段と、データを送受信する機能を有し、該機能のうちの少なくとも一部の機能を、前記記録手段に記録されているソフトウエアを用いて実現する送受信手段と、前記管理サーバから、前記記録手段に記録されているソフトウエアの入替用のソフトウエアを受信する通信手段と、前記通信手段が受信した入替用のソフトウエアに、前記記録手段に記録されているソフトウエアを入れ替える入替手段と、前記入替手段が前記ソフトウエアを入れ替えると、前記送受信手段の送受信特性を測定し、該測定した送受信特性が予め定められた制約を満たすか否かを診断する診断手段と、を含む。
【００１７】
本発明によるソフトウエア無線機管理システムは、ソフトウエア無線機と、前記ソフトウエア無線機と接続可能な管理サーバと、を含むソフトウエア無線機管理システムであって、前記管理サーバは、前記ソフトウエア無線機のアドレスと、前記ソフトウエア無線機がデータを送受信するための送受信ソフトウエアの入替用のソフトウエアとを記憶する記憶手段と、前記記憶手段内の入替用のソフトウエアを、前記記憶手段内のアドレスのソフトウエア無線機に送信する伝送手段と、を含み、前記ソフトウエア無線機は、前記ソフトウエアを記録する記録手段と、データを送受信する機能を有し、該機能のうちの少なくとも一部の機能を、前記記録手段に記録されているソフトウエアを用いて実現する送受信手段と、前記管理サーバから、前記入替用のソフトウエアを受信する通信手段と、前記通信手段が受信した入替用のソフトウエアに、前記記録手段に記録されているソフトウエアを入れ替える入替手段と、前記入替手段が前記ソフトウエアを入れ替えると、前記送受信手段の送受信特性を測定し、該測定した送受信特性が予め定められた制約を満たすか否かを診断する診断手段と、を含む。
【００１８】
本発明による第一のソフトウエア無線機の診断方法は、データを送受信するためのソフトウエアを記録する記録手段と、データを送受信する機能を有し、該機能のうちの少なくとも一部の機能を、前記記録手段に記録されているソフトウエアを用いて実現する送受信手段と、を含むソフトウエア無線機の診断方法であって、管理サーバから、前記記録手段に記録されているソフトウエアの入替用のソフトウエアを受信し、前記受信された入替用のソフトウエアに、前記記録手段に記録されているソフトウエアを入れ替え、前記送受信手段の送受信特性を測定し、該測定した送受信特性が予め定められた制約を満たすか否かを診断する。
【００１９】
本発明による第二のソフトウエア無線機の診断方法は、データを送受信するためのソフトウエアを記録する記録手段と、データを送受信する機能を有し該機能のうちの少なくとも一部の機能を前記記録手段に記録されているソフトウエアを用いて実現する送受信手段と、を含むソフトウエア無線機と、前記ソフトウエア無線機のアドレスと前記記録手段が記録しているソフトウエアの入替用のソフトウエアとを対応付けて記憶する記憶手段を含む管理サーバと、を含むソフトウエア無線機管理システムによるソフトウエア無線機の診断方法であって、前記管理サーバが、前記記憶手段内の入替用のソフトウエアを、前記記憶手段内のアドレスのソフトウエア無線機に送信し、前記ソフトウエア無線機が、前記管理サーバから、前記入替用のソフトウエアを受信し、前記ソフトウエア無線機が、前記受信された入替用のソフトウエアに、前記記録手段に記録されているソフトウエアを入れ替え、前記ソフトウエア無線機が、前記送受信手段の送受信特性を測定し、該測定した送受信特性が予め定められた制約を満たすか否かを診断する。
【００２０】
本発明のプログラムは、データを送受信するためのソフトウエアを記録する記録手段と接続されたコンピュータに、データを送受信する機能のうちの少なくとも一部の機能を、前記記録手段に記録されているソフトウエアを用いて実現する手順と、管理サーバから、前記記録手段に記録されているソフトウエアの入替用のソフトウエアを受信する手順と、前記受信された入替用のソフトウエアに、前記記録手段に記録されているソフトウエアを入れ替える手順と、前記送受信手段の送受信特性を測定し、該測定した送受信特性が予め定められた制約を満たすか否かを診断する手順と、を実行させる。
【発明の効果】
【００２１】
本発明によれば、特定の場所でなくても、ソフトウエア無線機のソフトウエアの入れ替えを行うことが可能になる。
【発明を実施するための最良の形態】
【００２２】
以下、本発明の実施形態について図面を参照して説明する。
【００２３】
図１は、本発明の第一の実施形態のソフトウエア無線機の構成を示した模式図である。
【００２４】
図１において、ソフトウエア無線機１は、記録部１１と、送受信部１２と、送受信ポート１３と、入替部１４と、自己診断部１５とを含む。また、ソフトウエア無線機１は、ソフトウエア無線機１を管理する管理サーバ２と相互に接続可能である。
【００２５】
記録部１１は、データを送受信するためのソフトウエアを記録する。
【００２６】
送受信部１２は、無線基地局などの無線アクセスポイント（図示せず）と、データを無線で送受信する送受信機能を有する。また、送受信部１２は、送受信機能のうちの少なくとも一部の機能を、記録部１１に記録されたソフトウエアを用いて実現する。ソフトウエアを用いて実現する送受信機能は、例えば、受信信号の復調、送信信号の変調およびデータの誤り訂正などである。なお、ソフトウエアを用いて実現する機能は、これらの例に限らず適宜変更可能である。
【００２７】
送受信部１２は、送信部１２ａと、受信部１２ｂと、共通部１２ｃとを含む。
【００２８】
送信部１２ａは、無線アクセスポイントにデータを送信するための機能を有する。受信部１２ｂは、無線アクセスポイントからデータを受信するための機能を有する。共通部１２ｃは、データの送信とデータの受信とに共通する機能を有する。なお、共通する機能は、例えば、クロック信号の生成などである。
【００２９】
送受信ポート１３は、通信手段の一例である。送受信ポート１３は、管理サーバ２から、記録部１１に記録されているソフトウエアの入替用のソフトウエアを受信する。
【００３０】
入替部１４は、記録部１１に記録されているソフトウエアを、送受信ポート１３が受信した入替用のソフトウエアに入れ替える。
【００３１】
入替部１４がソフトウエアを入れ替えると、自己診断部１５は、送受信部１２の送受信特性を測定し、その測定した送受信特性が予め定められた制約を満たすか否かを診断する。
【００３２】
例えば、自己診断部１５は、送受信部１２が受信したデータに付与された誤り訂正符号のチェックを行ない、誤りが検出された場合は誤り訂正を行なう。また、自己診断部１５は、その誤りがあったビットまたはフレームの数をカウントして、誤り率（ビット誤り率またはフレーム誤り率）を送受信特性として測定する。自己診断部１５は、送受信特性である誤り率が予め定められた閾値以上か否かを判断する。そして、自己診断部１５は、その誤り率が閾値以上であると、送受信特性が制約を満たさないと判断し、その誤り率が閾値未満であると、送受信特性が制約を満たすと判断する。この場合、自己診断部１５は、ソフトウエアが正しくインストールされたか否かを確認することが可能になる。
【００３３】
また、自己診断部１５は、データが送信部１２ａから受信部１２ｂに伝送するルートを構成し、そのルートに、疑似ランダムデータを伝送させる。自己診断部１５は、その疑似ランダムデータ内の誤りがあったビットまたはフレームの数をカウントして、誤り率を送受信特性として測定する。自己診断部１５は、送受信特性である誤り率が予め定められた閾値以上か否かを判断する。そして、自己診断部１５は、その誤り率が閾値以上であると、送受信特性が制約を満たさないと判断し、その誤り率が閾値未満であると、送受信特性が制約を満たすと判断する。この場合、ソフトウエア無線機１単体でソフトウエアが正しくインストールされたか否かを確認することが可能になる。
【００３４】
また、自己診断部１５は、送信部１２から送信される疑似ランダムデータで変調されたデータの波形を送受信特性として測定する。自己診断部１５は、その測定した送受信特性である波形をスペクトラムマスクと比較して、その波形のスペクトラムが電波法で規定された許容範囲に含まれているか否かを判断する。自己診断部１５は、その波形が許容範囲に含まれていると、送受信特性が制約を満たすと判断し、その波形が許容範囲に含まれていないと、送受信特性が制約を満たしていないと判断する。
【００３５】
なお、スペクトラムマスクは、電波法で規定された許容範囲を示すデータであり、ソフトウエアと共に管理サーバ２から送信され、自己診断部１５にて保持される。
【００３６】
次に動作を説明する。
【００３７】
図２は、本実施形態のソフトウエア無線機１の動作を説明するためのフローチャートである。
【００３８】
ステップＳ２０１では、送受信ポート１３は、入替用のソフトウエアを受信すると、その入替用のソフトウエアを入替部１４に送信する。入替部１４は、入替用のソフトウエアを受信すると、ステップＳ２０２を実行する。
【００３９】
ステップＳ２０２では、入替部１４は、その受信した入替用のソフトウエアに、記録部１１に記録されているソフトウエアを入れ替える。その後、ステップＳ２０３が実行される。
【００４０】
ステップＳ２０３では、入替部１４は、自己診断部１５に診断の開始を指示する。自己診断部１５は、その指示を受けると、送受信部１２の送受信特性を測定する。自己診断部１５は、送受信特性を測定すると、ステップＳ２０４を実行する。
【００４１】
ステップＳ２０４では、自己診断部１５は、その測定した送受信特性が予め定められた制約を満たすか否かを診断する。
【００４２】
次に効果を説明する。
【００４３】
本実施形態では、送受信部１２は、データを送受信する機能を有し、その機能のうちの少なくとも一部の機能を、記録部１１に記録されたソフトウエアを用いて実現する。送受信ポート１３は、管理サーバから、記録部１１に記録されたソフトウエアの入替用のソフトウエアを受信する。入替部１４は、送受信ポート１３が受信した入替用のソフトウエアに、記録部１１に記録されているソフトウエアを入れ替える。自己診断部１５は、入替部１４がソフトウエアを入れ替えると、送受信部１２の送受信特性を測定し、その測定した送受信特性が予め定められた制約を満たすか否かを診断する。
【００４４】
この場合、データを送受信する機能のうちの少なくとも一部の機能を実現するソフトウエアが、管理サーバから受信した入替用のソフトウエアに入れ替えられる。また、ソフトウエアが入れ替えられると、ソフトウエア無線機の送受信特性が制約を満たすか否かが判断される。
【００４５】
したがって、入替用のソフトウエアを記録した記録媒体や外部測定器がなくても、ソフトウエアを入れ替えることが可能になる。よって、特定の場所でなくても、ソフトウエア無線機のソフトウエアの入れ替えを行うことが可能になる。
【００４６】
次に第二の実施形態を説明する。
【００４７】
図３は、本発明の第二の実施形態のソフトウエア無線機管理システムを示したブロック図である。
【００４８】
図３において、ソフトウエア無線機管理システムは、ソフトウエア無線機１と、管理サーバ２とを含む。なお、ソフトウエア無線機１の数は、図３では、３つだけだが、実際には、１以上であれば特に限定されない。また、各ソフトウエア無線機１と管理サーバ２とは、インターネット１００を介して相互に接続可能である。
【００４９】
各ソフトウエア無線機１は、図１で示した構成と同じ構成を有する。また、記録部１１と、自己診断部１５には、以下の機能が追加される。
【００５０】
記録部１１は、自ソフトウエア無線機１を特定する識別情報を記録する。
【００５１】
自己診断部１５は、送受信特性が制約を満たすか否かを診断すると、その診断結果と記録部１１に記録された識別情報とを、送受信ポート１３を介して管理サーバ２に送信する。
【００５２】
管理サーバ２は、ＳＤＲ（Software Defined Radio）無線機データベース２１と、送受信ポート２２と、制御部２３とを含む。
【００５３】
ＳＤＲ無線機データベース２１は、記憶手段の一例である。ＳＤＲ無線機データベース２１は、ソフトウエア無線機１を特定する識別情報ごと、そのソフトウエア無線機１のアドレスと、そのアドレスのソフトウエア無線機１に送信する入替用のソフトウエアとを対応付けて記憶する。
【００５４】
送受信ポート２２は、伝送手段の一例である。各ソフトウエア無線機１から診断結果および識別情報を受信する。
【００５５】
制御部２３は、ＳＤＲ無線機データベース２１内の入替用のソフトウエアを、その入替用のソフトウエアに対応付けられたアドレスのソフトウエア無線機１に、送受信ポート２２を介して送信する。
【００５６】
また、制御部２３は、送受信ポート２２が診断結果および識別情報を受信すると、その診断結果を確認し、その診断結果に応じた処理を行う。例えば、制御部２３は、その診断結果が送受信特性は制約を満たさないことを示すと、その診断結果および識別情報をソフトウエア無線機管理システムの管理者などＥメールなどを用いて通知する。なお、Ｅメールアドレスは、ＳＤＲ無線機データベース２１に予め記憶されているものとする。
【００５７】
次に動作を説明する。
【００５８】
図４は、本実施形態のソフトウエア無線機管理システムの動作を説明するためのフローチャートである。例えば、管理サーバ２のＳＤＲ無線機データベース２１内の入替用のソフトウエアが変更された場合や、ソフトウエア無線機管理システムの管理者から入替用ソフトウエアの送信が指示された場合に、制御部２３は、ステップＳ４０１を実行する。
【００５９】
ステップＳ４０１では、管理サーバ２の制御部２３は、ＳＤＲ無線機データベース２１から、その変更されたソフトウエアまたは送信が指示されたソフトウエアと、そのソフトウエアに対応付けられたアドレスとを取得する。制御部２３は、その取得したソフトウエアを、その取得したアドレスのソフトウエア無線機１に送信する。その後、ステップＳ４０２が実行される。
【００６０】
ステップＳ４０２では、ソフトウエア無線機１がソフトウエアの入れ替えと、送受信特性の診断を行う。なお、ステップＳ４０２の処理は、図２で説明した処理と同じなので、その処理の詳細な説明は省略する。
【００６１】
ステップＳ４０２（ステップＳ２０４）でソフトウエア無線機１の自己診断部１５が、送受信特性の診断を行うと、ステップＳ４０３を実行する。
【００６２】
ステップＳ４０３では、自己診断部１５は、記録部１１から識別情報を取得し、その識別情報と、その診断結果とを、送受信ポート１３を介して管理サーバ２の送受信ポート２２に送信する。送受信ポート２２は、識別情報および診断結果を受信すると、ステップＳ４０４を実行する。
【００６３】
ステップＳ４０４では、送受信ポート２２は、識別情報および診断結果を制御部２３に送信する。制御部２３は、その診断結果を受信すると、その診断結果を確認し、その確認した診断結果に応じた処理を行う。
【００６４】
次に効果を説明する。
【００６５】
本実施形態では、管理サーバ２の制御部２３は、ＳＤＲ無線機データベース２１内の入替用のソフトウエアを、ＳＤＲ無線機データベース２１内のアドレスのソフトウエア無線機１に送信する。送受信部１２は、データを送受信する機能を有し、その機能のうちの少なくとも一部の機能を、記録部１１に記録されたソフトウエアを用いて実現する。送受信ポート１３は、管理サーバから、記録部１１に記録されたソフトウエアの入替用のソフトウエアを受信する。入替部１４は、送受信ポート１３が受信した入替用のソフトウエアに、記録部１１に記録されているソフトウエアを入れ替える。自己診断部１５は、入替部１４がソフトウエアを入れ替えると、送受信部１２の送受信特性を測定し、その測定した送受信特性が予め定められた制約を満たすか否かを診断する。
【００６６】
この場合でも、第一の実施形態と同様に、特定の場所でなくても、ソフトウエア無線機のソフトウエアの入れ替えを行うことが可能になる。
【００６７】
また、本実施形態では、ソフトウエア無線機１の送受信ポート１３は、自己診断部１５の診断結果を管理サーバ２に送信する。管理サーバ２の送受信ポート２２は、その診断結果を受信する。制御部２３は、送受信ポート２２が受信した診断結果を確認する。
【００６８】
この場合、ソフトウエアの入れ替えが正常に行われたか否かの確認を一括して管理することが可能になる。
【００６９】
また、ソフトウエア無線機１は複数ある。ＳＤＲ無線機データベース２１は、ソフトウエア無線機１のそれぞれのアドレスと、そのソフトウエア無線機に送信する入替用のソフトウエアとを対応付けて記憶する。送受信ポート２２は、ＳＤＲ無線機データベース２１内のアドレスのそれぞれに、そのアドレスに対応する入替用のソフトウエアに送信する。
【００７０】
この場合、ソフトウエア無線機１ごとに異なるソフトウエアを送信することが可能になる。したがって、ソフトウエア無線機１ごとに入替用のソフトウエアが異なっていても、ソフトウエアの入れ替えを行うことが可能になる。
【００７１】
なお、以上説明したソフトウエア無線機１の機能は、その機能を実現するためのプログラムを、コンピュータにて読み取り可能な記録媒体に記録して、この記録媒体に記録されたプログラムをコンピュータに読み込ませ、実行するものであってもよい。
【００７２】
以上説明した各実施形態において、図示した構成は単なる一例であって、本発明はその構成に限定されるものではない。
【００７３】
例えば、ソフトウエア無線機１と管理サーバ２は、インターネット１００を介して相互に接続されていたが、実際には、インターネット１００以外の有線網を介して相互に接続されてもよいし、無線ＬＡＮなどの無線網を介して相互に接続されてもよい。
【００７４】
また、送受信部１２が通信手段の機能を有していてもよい。
【図面の簡単な説明】
【００７５】
【図１】本発明の第一の実施形態のソフトウエア無線機の構成を示したブロック図である。
【図２】ソフトウエア無線機の動作例を説明するためのフローチャートである。
【図３】本発明の第二の実施形態のソフトウエア無線機管理システムを示したブロック図である。
【図４】ソフトウエア無線機管理システムの動作例を説明するためのフローチャートである。
【符号の説明】
【００７６】
１        ソフトウエア無線機
１１      記録部
１２      送受信部
１２ａ    送信部
１２ｂ    受信部
１２ｃ    共通部
１３      送受信ポート
１４      入替部
１５      自己診断部
２        管理サーバ
２１      ＳＤＲ無線機データベース
２２      送受信ポート
２３      制御部
【図１】
2010114643.tif 000003
【図２】
2010114643.tif 000004
【図３】
2010114643.tif 000005
【図４】
2010114643.tif 000006